(57)【特許請求の範囲】
【請求項１】
空気調和機の室内ユニットの外郭を構成する前面枠と台枠とにおいて、角穴部を前記前面枠の外周部に備えるとともに、前記角穴部に嵌合する凸部を有する爪部を前記台枠に備え、前記角穴部の裏面から前記爪部の凸部を嵌合することにより前記前面枠と前記台枠とを結合する空気調和機の室内ユニットであって、前記角穴部に接する前記凸部の接合面上に、断面が半円状もしくは三角形状のリブを１本もしくは複数本設け、前記リブは前記凸部の根元から少し上方に設けたことを特徴とする空気調和機の室内ユニット。
【請求項２】
凸部が立ち上がる爪部の面上に、前記凸部の根元に凹形状の溝部を設けた請求項１記載の空気調和機の室内ユニット。
【請求項３】
凸部が立ち上がる爪部の面上に、前記凸部の根元から少し離れた位置から、断面が半円状もしくは三角形状のリブを１本もしくは複数本設けた請求項１記載の空気調和機の室内ユニット。
【発明の詳細な説明】
【０００１】
【発明の属する技術分野】
本発明は、空気調和機に係わり、詳しくは空気調和機の室内ユニットの外郭を構成する前面枠と台枠との固定構造に関する。
【０００２】
【従来の技術】
以下、従来の空気調和機の室内ユニットについて図面を参照しながら説明する。図５は、従来の空気調和機の室内ユニットの外郭の構成を示す部分断面図である。従来、空気調和機の室内ユニットの外郭を構成する前面枠と台枠との固定構造は、図５に示したように、前面枠１の外周に角穴部１ａを設け、台枠２からは凸部３ａを有する爪部３を設け、さらに凸部３ａの角穴部１ａとの接合面に凸部３ａの根元から、断面が半円状もしくは三角形状のリブ３ｂを１本もしくは複数本設け、接合面の接触面積を極力低減するように嵌合させて固定する構造であった。
【０００３】
【発明が解決しようとする課題】
このような従来の構成では、接合面の接触面積を極力低減するように嵌合させて固定する構造であっても、前面枠１の外周に設けた角穴部１ａの内面下側に、金型構造上の微少ではあるがばりが発生するため、ばり部１ｂと凸部３ａとが直接接触する構成となっていた。
【０００４】
このような構成において、空気調和機が運転され、台枠２および前面枠１が温度変化により熱膨張、収縮、およびそれに伴う反り変形を起こし、前面枠１の角穴部１ａと凸部３ａとの間に微少な位置ずれを起こしたとき、角穴部１ａのばりの影響を強く受けて樹脂の擦れ合う音が発生し易くなっていた。
【０００５】
また、前面枠１に塗装処理を行ったとき、微量な塗料垂れが、ばり部１ｂの周辺で固まり易くなり、樹脂の擦れ合う音がさらに発生し易くなっていた。
【０００６】
そのため従来では、音の発生が多い場合には、前面枠１の成形後にばり処理を行うか、または角穴部１ａにテープの貼り付けなどを行ない、工数とコストをかけて樹脂の擦れ合う音を防止していた。
【０００７】
本発明は上記の課題を解決するもので、ばり部１ｂと凸部３ａとの直接接触を防止し、前面枠１の成形後のばり処理や角穴部１ａへのテープ貼り付けなどの工数およびコストをかけずに樹脂の擦れ合う音を防止した固定構造を備えた空気調和機の室内ユニットを提供することを目的とする。
【０００８】
【課題を解決するための手段】
請求項１に係わる本発明は、凸部の角穴部との接合面に、凸部の立ち上がり位置の少し上方より先端方向へ断面が半円状もしくは三角形状のリブを１本もしくは複数本設けた空気調和機の室内ユニットである。
【０００９】
本発明により、角穴部の内面のばり部と凸部の接合面での接触を防止して、樹脂の擦れ合う音を低減することができる。
【００１０】
請求項２に係わる本発明は、台枠の凸部の根元に凹形状の溝部を設けた空気調和機の室内ユニットである。
【００１１】
本発明により、角穴部の内面のばり部が成形後、組み立て上などの何らかの理由で下方に変形した場合でも、また塗装時に角穴部の内面に塗料垂れが生じても、角穴部の内面のばり部と凸部との直接接触を防止し、樹脂の擦れ合う音を低減することができる。
【００１２】
請求項３に係わる本発明は、凸部が立ち上がる根元から少し離れた爪部の面上に、断面が半円状もしくは三角形状のリブを１本もしくは複数本設けた空気調和機の室内ユニットである。
【００１３】
本発明により、角穴部の内面のばり部が成形後に組み立て上などの何らかの理由で下方に変形した場合でも、また塗装時に角穴部の内面に塗料垂れが生じても、角穴部の内面のばり部と凸部との直接接触を防止し、さらに爪部と前面枠の裏面との接触面積を極力低減して、樹脂の擦れ合う音を極力低減することができる。
【００１４】
【発明の実施の形態】
請求項１に係わる本発明は、空気調和機の室内ユニットの外郭を構成する前面枠と台枠とにおいて、角穴部を前記前面枠の外周部に備えるとともに、前記角穴部に嵌合する凸部を有する爪部を前記台枠に備え、前記角穴部の裏面から前記爪部の凸部を嵌合することに
より前記前面枠と前記台枠とを結合する空気調和機の室内ユニットであって、前記角穴部に接する前記凸部の接合面上に、断面が半円状もしくは三角形状のリブを１本もしくは複数本設け、前記リブは前記凸部の根元から少し上方に設けたことを特徴とする空気調和機の室内ユニットである。
【００１５】
本発明において、前記リブは、角穴部に生じた金型構造上のばり部と爪部との直接接触を防止するとともに、リブ自体も前記ばり部と直接接触せず、接合面の接触面積を極力低減し、空気調和機運転時の温度変化による樹脂の擦れ合う音の発生を低減する。
【００１６】
請求項２に係わる本発明は、凸部が立ち上がる爪部の面上に、前記凸部の根元に凹形状の溝部を設けた請求項１に係わる空気調和機の室内ユニットである。
【００１７】
本発明において、凸部の根元に設けられた凹形状の溝部は、前記角穴部に生じた金型構造上のばり部が、組み立て上などの何らかの理由で下方に変形した場合、または前面枠塗装時に角穴部の内面に塗料垂れが発生しばり部下方で固まった場合でも直接接触を防止し、空気調和機運転時の温度変化による樹脂の擦れ合う音の発生を低減する。
【００１８】
請求項３に係わる本発明は、凸部が立ち上がる爪部の面上に、前記凸部の根元から少し離れた位置から、断面が半円状もしくは三角形状のリブを１本もしくは複数本設けた請求項１に係わる空気調和機の室内ユニットである。
【００１９】
本発明において、凸部の接合面上のリブは、前記角穴部に生じた金型構造上のばり部が、組み立て上などの何らかの理由で下方に変形した場合、または前面枠塗装時に角穴部の内面に塗料垂れが発生しばり部下方で固まった場合でも直接接触を防止し、さらに爪部の面上のリブは、前面枠の裏面と爪部との接触面積を極力低減し、空気調和機運転時の温度変化による樹脂の擦れ合う音の発生を極力低減する。
【００２０】
【実施例】
（実施例１）
以下、本発明の空気調和機の室内ユニットの実施例１について図面を参照しながら説明する。本実施例は請求項１に係わる。
【００２１】
図１は、本実施例の構成を示す断面図、図２はその上面図である。なお、図５と同じ構成要素には同一符号を付与している。図１および図２において、１は室内ユニットの外装部を形成する前面枠であり、その外周部には角穴部１ａが設けられている。２は室内ユニットの外装部を形成する台枠であり、台枠２からは角穴部１ａに嵌合する凸部３ａを有する爪部３が形成されている。さらに、凸部３ａの角穴部１ａとの接合面には、凸部３ａの隆起面の少し上方から凸部３ａの先端方向へ、断面が半円状もしくは三角形状のリブ３ｃが２本設けられており、りリブ３ｃは、角穴部１ａの内面下側部のばり部１ｂとの接触を避けながら凸部３ａと角穴部１ａとの直接接触を防止している。
【００２２】
以上のように本実施例によれば、リブ３ｃを凸部３ａの根元の少し上から設けたことにより、凸部３ａと角穴部１ａとが直接接触せず、樹脂の擦れ合う音をさらに低減することができる。
【００２３】
（実施例２）
以下、本発明の空気調和機の室内ユニットの実施例２について図面を参照しながら説明する。本実施例は請求項２に係わる。
【００２４】
図３は、本実施例の構成を示す部分断面図である。なお、図１と同じ構成要素には同一
符号を付与している。図３において、爪部３の凸部３ａの根元には凹形状の溝部３ｄが設けられており、角穴部１ａの内面下側部のばり部１ｂが下方に変形した場合にも、凸部３ａと角穴部１ａの内面下側部のばり部１ｂとの直接接触防止を可能としている。
【００２５】
以上のように本実施例によれば、リブ３ｃにより凸部３ａと角穴部１ａとが直接接触しないとともに、角穴部１ａのばり部１ｂが下方に変形しても溝部３ｄにより爪部３に接触しないため、樹脂の擦れ合う音をさらに低減することができる。
【００２６】
（実施例３）
以下、本発明の空気調和機の室内ユニットの実施例３について図面を参照しながら説明する。本実施例は請求項３に係わる。
【００２７】
図４は、本実施例の構成を示す部分断面図である。なお、図１と同じ構成要素には同一符号を付与している。図４において、爪部３の凸部３ａから少し離れた位置から断面が半円状もしくは三角形状のリブ３ｅが１本ないし複数本設けられており、角穴部１ａの内面下側部のばり部１ｂが下方に変形した場合にも、凸部３ａと角穴部１ａの内面下側部のばり部１ｂとの直接接触防止を可能とし、さらに前面枠１の裏面と爪部３との接触面積をも極力低減する。
【００２８】
以上のように本実施例によれば、リブ３ｃにより凸部３ａと角穴部１ａとが直接接触しないとともに、角穴部１ａのばり部１ｂが下方に変形してもリブ３ｅにより爪部３に接触しないため、樹脂の擦れ合う音を極力低減することができる。
【００２９】
【発明の効果】
請求項１に係わる本発明は、空気調和機の室内ユニットの外郭を構成する前面枠と台枠とにおいて、角穴部を前記前面枠の外周部に備えるとともに、前記角穴部に嵌合する凸部を有する爪部を前記台枠に備え、前記角穴部の裏面から前記爪部の凸部を嵌合することにより前記前面枠と前記台枠とを結合する空気調和機の室内ユニットであって、前記角穴部に接する前記凸部の接合面上に、断面が半円状もしくは三角形状のリブを１本もしくは複数本設け、前記リブは前記凸部の根元から少し上方に設けたことを特徴とする空気調和機の室内ユニットとすることにより、前記角穴部に生じた金型構造上のばり部と爪部との直接接触を防止しながら接合面の接触面積も極力低減することができ、さらにリブ自体も前記ばり部を避けているので、空気調和機運転時の温度変化による樹脂の擦れ合う音の発生を低減することができる。
【００３０】
請求項２に係わる本発明は、凸部が立ち上がる爪部の面上に、前記凸部の根元に凹形状の溝部を設けた請求項１に係わる空気調和機の室内ユニットとすることにより、凸部の根元に設けられた凹形状の溝部により、前記角穴部に生じた金型構造上のばり部が、組み立て上などの何らかの理由で下方に変形した場合、または前面枠塗装時に角穴部の内面に塗料垂れが発生しばり部下方で固まった場合でも直接接触を防止し、空気調和機運転時の温度変化による樹脂の擦れ合う音の発生を低減することができる。
【００３１】
請求項３に係わる本発明は、凸部が立ち上がる爪部の面上に、前記凸部の根元から少し離れた位置から、断面が半円状もしくは三角形状のリブを１本もしくは複数本設けた請求項１に係わる空気調和機の室内ユニットとすることにより、前記角穴部に生じた金型構造上のばり部が、組み立て上などの何らかの理由で下方に変形した場合、または前面枠塗装時に角穴部の内面に塗料垂れが発生しばり部下方で固まった場合でも直接接触を防止し、さらに前面枠の裏面と爪部との接触面積も極力低減可能となり、空気調和機運転時の温度変化による樹脂の擦れ合う音の発生を極力低減することができる。
【図面の簡単な説明】
【図１】  本発明の第１の実施例を示す断面図
【図２】  本発明の第１の実施例を示す上面図
【図３】  本発明の第２の実施例を示す断面図
【図４】  本発明の第３の実施例を示す断面図
【図５】  従来例を示す断面図
【符号の説明】
１  前面枠
１ａ  角穴部
１ｂ  ばり部
２  台枠
３  爪部
３ａ  凸部
３ｂ、３ｃ、３ｅ  リブ
３ｄ  溝部
【図１】
0004496641.tif 000002
【図２】
0004496641.tif 000003
【図３】
0004496641.tif 000004
【図４】
0004496641.tif 000005
【図５】
0004496641.tif 000006